(57)【要約】【課題】コンパクトで取扱いやすく、シャンプーボールの形状に合わせて取り付けることができ、シャンプー等の施術に支障をきたさない後頭部支持補助具の提供を目的とする。【解決手段】シャンプーボールの内壁に取り付ける後頭部支持補助具であって、枕体と支持体とを備え、枕体は、枕部と枕部の下に湾曲した枕アームを有し、支持体は、吸着部と支持アームとを有し、枕アームに設けた複数の枕体側連結孔のうち、任意の枕体側連結孔を選択して支持アームに設けた支持体側連結孔とを連結部材で連結してあることを特徴とする。【選択図】  図１
0003122857.tif 000002
【実用新案登録請求の範囲】
【請求項１】
シャンプーボールの内壁に取り付ける後頭部支持補助具であって、
枕体と支持体とを備え、
枕体は、枕部と枕部の下に湾曲した枕アームを有し、
支持体は、吸着部と支持アームとを有し、
枕アームに設けた複数の枕体側連結孔のうち、任意の枕体側連結孔を選択して支持アームに設けた支持体側連結孔とを連結部材で連結してあることを特徴とする後頭部支持補助具。
【請求項２】
枕体は、湾曲した枕アームの下端側に吸着部を有していることを特徴とする請求項１記載の後頭部支持補助具。
【請求項３】
枕体と支持体とに設けた吸着部が角度調整自在になっていることを特徴とする請求項２記載の後頭部支持補助具。
【考案の詳細な説明】
【技術分野】
【０００１】
本考案は、理容室及び美容室等におけるシャンプーボールに取り付ける補助具に関し、特に後頭部を支持し、シャンプー施術中における頚椎の圧迫を防止する後頭部支持補助具に係る。
【背景技術】
【０００２】
図６にシャンプーボール４０の斜視図を示すように従来から理容室及び美容室等では、多くの場合仰向けになりシャンプーボール４０の首載置部４１に首を載せて洗髪等をしている。
しかし、頭部重量を支持する首には負担が掛かり、頚椎を圧迫し美容室脳卒中症候群等を引き起こす問題がある。
【０００３】
特許文献１及び２には、後頭部の枕部に高さ調整できる脚部を設けたものや、この脚部に吸盤を取り付けた後頭部補助具を開示する。
しかし、これらは脚部等をシャンプーボールの底部に固定するものであり、シャンプーボールの内壁形状に合わせることが難しく、サイズが大きいだけでなく、この脚部が洗髪等の施術に支障をきたすものであった。
【０００４】
【特許文献１】特開平１１−２８５４１４号公報
【特許文献２】特開２００２−３３６０３２号公報
【考案の開示】
【考案が解決しようとする課題】
【０００５】
本考案は上記技術的課題に鑑みて、コンパクトで取扱いやすく、シャンプーボールの形状に合わせて取り付けることができ、シャンプー等の施術に支障をきたさない後頭部支持補助具の提供を目的とする。
【課題を解決するための手段】
【０００６】
請求項１記載の考案は、シャンプーボールの内壁に取り付ける後頭部支持補助具であって、枕体と支持体とを備え、枕体は、枕部と枕部の下に湾曲した枕アームを有し、支持体は、吸着部と支持アームとを有し、枕アームに設けた複数の枕体側連結孔のうち、任意の枕体側連結孔を選択して支持アームに設けた支持体側連結孔とを連結部材で連結してあることを特徴とする。
【０００７】
本明細書にては、本考案に係る後頭部支持補助具の使用状態にて垂直方向、水平方向を定義する。
シャンプー等の施術時に後頭部を載置する枕部の下に湾曲したアームを有していることにより枕アームと支持アームとの連結位置を変えることで枕部の垂直高さと水平方向の取り付け位置の調整ができるとともに枕部の上面を水平に維持するように作用する。
【０００８】
請求項２記載の考案は、吸着部を支持体のみならず枕体の湾曲した枕アームの下端側にも設けることでシャンプーボール内壁に取り付けやすくしたものである。
【０００９】
本考案においては、吸着部を角度調整自在に枕体と支持体とに取り付けてあるとシャンプーボールの内壁形状に合わせてフィットしやすい。
【考案の効果】
【００１０】
本考案においては、枕部の下に連結した枕アームを湾曲させ、この枕アームの湾曲に沿って複数の枕体側連結孔を設けて、任意の連結孔と、支持アーム側の支持体側連結孔とで連結できるようにしたので市販の各種形状からなるシャンプーボールの内側の立上がり壁面の任意の位置に取り付けることができ、コンパクトなのでシャンプー等の施術作業に支障をきたすことはない。
特にシャンプーボールの形状や被施術者に合わせて後頭部を受ける位置の調整が容易であるだけでなく、枕の上面を水平に保つことができるので後頭部の支持安定性がよい。
【考案を実施するための最良の形態】
【００１１】
本考案に係る後頭部支持補助具１０（以下、単に補助具と称する）の例を以下図面に基づいて説明する。
図１に補助具１０の組立図を示し、図２に枕体３０と支持体２０とを連結した補助具１０の斜視図を示す。
【００１２】
図１に示すように本考案に係る補助具１０は、支持体２０に枕体３０を連結した構成になっている。
支持体２０はシャンプーボールの内壁に取り付ける吸着部２５ａ，２５ｂと枕体３０を連結する支持アーム２１ａ，２１ｂとを有している。
吸着部２５ａ，２５ｂは、吸盤等の吸着性を有するものであり、シャンプーボールの内壁の形状にフィットするように支持体２０に角度自在に取り付けてある。
本実施例では、水平方向に回動する軸部の例を示したが例えば球軸を介して垂直方向及び水平方向角度調整自在にしてもよい。
また、支持体２０は後頭部支持補助具１０をシャンプーボールの内壁に取り付けるためのものであり、シャンプーボールの内壁形状に合わせてフィットするように３点以上の吸着部が好ましく、支持体２０に３点以上の吸着部を設けてもよいが、本実施例においては支持体２０に２点の吸着部２５ａ，２５ｂとし、枕部３１の下に連結した湾曲形状の枕アーム３２の下端側に吸着部３４を設けた例を示す。
【００１３】
枕体３０は、後頭部を載置する枕部３１の下に湾曲した枕アーム３２を連結してある。
枕アーム３２は、下端側の吸着部３４と支持体側の２点の吸着部２５ａ，２５ｂとでシャンプーボールの内壁に吸着取り付けした際にシャンプーボールの内壁部からの水平方向と垂直方向との枕部３１の距離が調整できるように枕アーム３２の湾曲部に複数の枕体側連結孔３３ａ，３３ｂ，３３ｃ，・・・を設けて任意の枕体側連結孔と支持体側連結孔２２ａ１，２２ａ２，２２ａ３，・・・とを連結部材２４ａ，２４ｂにて連結できるようになっている。
枕アーム３２と支持アームとの連結方法は枕アーム３２の湾曲部の複数の位置で支持体２０と連結できれば各種方法を採用でき、上記のように連結部材２４ａ、２４ｂの２本にする必要もなく、連結部材は１本でも良く、ピン形状も丸棒状に限定する必要がなく、角形状の矩形ピンでも良い。
本実施例においては、細かく位置調整ができ、連結安定性を考慮し、枕アームに複数の連結孔３３ａ，３３ｂ，・・・３３ｌ（３３エル）、・・・を設け、支持体２０側には、枕アーム３２を両側から挟み込むように２本の支持アーム２１ａ，２１ｂを形成し、その間の枕アーム装着部２３に枕アーム３２を嵌入して２本の連結部材２４ａ，２４ｂを任意の枕体側連結孔と支持体側連結孔とに連通させて連結する例を示す。
枕部３１の高さ調整を細かくできるように本実施例においては、支持体側連結孔も複数設けてあり、この連結孔の数も（２２ａ１，２２ｂ１）、（２２ａ２，２２ｂ２）、（２２ａ３，２２ｂ３）、（２２ａ４，２２ｂ４）の４組に限定されるものではない。
【００１４】
各種シャンプーボールへの取付例を図３〜図５に示す。
シャンプーボールの形状は非常に多くの種類が有り、図３に示した例はシャンプーボール４０の内壁の立上りが急で、深さも深く、首の載置部４１も内側にはり出すように設けられた例である。
この場合に枕アーム３２の下端側の吸着部３４を首載置部４１の下側に廻り込むように吸着させ、支持体側の２点の吸着部２５ａ、２５ｂにて補助具１０を支えるように取り付けることができる。
この場合には枕アーム３２の湾曲部垂直立上り近くに設けた枕体側連結孔３３ｉ，３３ｋと支持アーム２１ａ，２１ｂの上部に設けた支持体側連結孔２２ａ１，２２ａ２とで連結する。
図４に示した例は、シャンプーボールの内壁が斜めに立上っている形状に対応した例でこの場合には枕アーム３２の湾曲部立上げ部に設けた枕体側連結孔３３ｆ，３３ｈを用いている。
図５に示すように更に、底が浅いシャンプーボールの場合には支持アームを寝かせるようにして連結孔２２ａ２，２２ａ３を用いるとともに枕部３１の上面が水平になるように枕アームの湾曲部水平側の枕体側連結孔３３ｌ（３３エル），３３ｎを用いた例である。
【００１５】
補助具１０のシャンプーボールへの取付例を図３〜図５に示したように本考案においては枕アーム３２をシャンプーボールの内壁立上げ部から上部に向けて湾曲させた湾曲形状にしたことにより、どのようなシャンプーボール形状に対しても常に枕部３１の上面がおおむね水平になるようにして、且つ、水平方向と垂直方向の位置調整ができるので枕部３１の上面が傾くこともなく安定して後頭部を支持できる。
【図面の簡単な説明】
【００１６】
【図１】本考案に係る後頭部支持補助具の組立図を示す。
【図２】枕体と支持体とを連結した状態を示す。
【図３】後頭部支持補助具のシャンプーボールの取付例を示す。
【図４】後頭部支持補助具のシャンプーボールの取付例を示す。
【図５】後頭部支持補助具のシャンプーボールの取付例を示す。
【図６】シャンプーボールの斜視図を示す。
【符号の説明】
【００１７】
１０      後頭部支持補助具
２０      支持体
２１ａ、２１ｂ    支持アーム
２２ａ１、２２ａ２    支持体側連結孔
２２ｂ１、２２ｂ２    支持体側連結孔
２４ａ、２４ｂ    連結部材
２５ａ、２５ｂ    吸着部
３０    枕体
３１    枕部
３２    枕アーム
３３ａ、３３ｂ    枕体側連結孔
３４    吸着部
【図１】
0003122857.tif 000003
【図２】
0003122857.tif 000004
【図３】
0003122857.tif 000005
【図４】
0003122857.tif 000006
【図５】
0003122857.tif 000007
【図６】
0003122857.tif 000008